(57)【要約】【課題】清掃シートの交換頻度を少なくすることができる清掃具を提供する。【解決手段】清掃部５は、清掃面７に清掃シート２００を着脱可能に装着するとともに、清掃面７には、第１の突出体１０が設けられ、第１の突出体１０は、清掃面７の下方側に突出するとともに、清掃面７に沿って湾曲させながら水平方向に延びて第１の清掃方向に対し突出するように形成される第１の山部１１と凹状に形成される第１の谷部１２を有し、第１の山部１１は、前方側に位置し、第１の谷部１２は、第１の山部１１と第１の清掃方向と交差する方向の位置を異ならせつつ後方側に位置し、第１の突出体１０は、第２の清掃方向に対しては、後面側が作用して、第１の山部１１が、凹状に形成される谷部となり、第１の谷部１２が、突出するように形成される山部となる。【選択図】図２
2020074931.tif 000002
【特許請求の範囲】
【請求項１】
清掃部と該清掃部に連結された把手部とを具備した清掃具であって、
前記清掃部は、清掃面に清掃シートを着脱可能に装着するとともに、
前記清掃面には、突出体が設けられ、
前記突出体は、前記清掃面に沿って湾曲または屈曲しながら水平方向に延びて清掃方向に対し突出するように形成される山部と凹状に形成される谷部を有して、前記山部および前記谷部は、前記清掃面において、前記清掃方向の前後に位置し、
更に前記突出体は、前記清掃方向と反対方向となる清掃方向に対しては、後面側が作用して、前記山部が、凹状に形成される谷部となり、前記谷部が、突出するように形成される山部となることを特徴とする清掃具。
【請求項２】
清掃部と該清掃部に連結された棒状の把手部とを具備した清掃具であって、
前記清掃部は、清掃面に清掃シートを着脱可能に装着するとともに、
前記清掃面には、突出体が設けられ、
前記突出体は、前記清掃面に沿って湾曲または屈曲しながら延びて清掃方向に対し突出するように形成される山部と凹状に形成される谷部を有して、前記山部は、前記清掃面において、前記清掃方向の前方側に位置し、前記谷部は、前記山部と前記清掃方向と交差する方向の位置を異ならせながら前記清掃方向の後方側に位置し、
更に前記突出体は、前記清掃方向と反対方向となる清掃方向に対しては、後面側が作用して、前記山部が、凹状に形成される谷部となり、前記谷部が、突出するように形成される山部となることを特徴とする清掃具。
【請求項３】
前記山部の終端と前記山部に隣り合う谷部の始端が連続して形成されるとともに、前記山部に隣り合う谷部の終端と前記谷部に隣り合う山部の始端が連続して形成されることを特徴とする請求項１または請求項２に記載の清掃具。
【請求項４】
前記突出体は、前記山部において頂部と稜線部を有するとともに、前記谷部において頂部と稜線部を有して、前記山部の終端と前記谷部の始端が連続して形成されるとともに、前記谷部の終端と前記山部の始端が連続して形成されることにより、前記山部の稜線部の端部と前記谷部の稜線部の端部が連続して形成され、前記山部の頂部および前記谷部の頂部の突出高さを前記連続して形成された稜線部の突出高さよりも低くすることを特徴とする請求項３に記載の清掃具。
【請求項５】
前記山部の端部と前記谷部の端部は、前記清掃方向に対し交差する方向に離間するとともに、
前記山部の終端と前記山部に隣り合う山部の始端との間隔が、前記谷部の始端と終端との間隔よりも小さく設定され、かつ、前記山部の終端と前記山部に隣り合う山部の始端の位置が、前記谷部の始端と終端との間隔内に設定され、
前記谷部の終端と前記谷部に隣り合う谷部の始端との間隔が、前記山部の始端と終端との間隔よりも小さく設定され、かつ、前記谷部の終端と前記谷部に隣り合う谷部の始端の位置が、前記山部の始端と終端との間隔内に設定されることを特徴とする請求項１または請求項２に記載の清掃具。
【請求項６】
前記突出体は、前記山部において頂部と稜線部を有するとともに、前記谷部において頂部と稜線部を有して、
前記山部の稜線部の端部と前記谷部の稜線部の端部は、前記清掃方向に対し交差する方向に離間し、
前記山部の頂部および前記谷部の頂部の突出高さを前記山部の稜線部および前記谷部の稜線部の突出高さよりも低くすることを特徴とする請求項５に記載の清掃具。
【請求項７】
前記突出体は、前記清掃面の位置で突出高さが異なることを特徴とする請求項１乃至請求項６のいずれか一項に記載の清掃具。
【請求項８】
前記突出体は、前記清掃方向の前方側の突出高さが低くなることを請求項１乃至請求項７のいずれか一項に記載の清掃具。
【請求項９】
前記突出体は、前記清掃面の端部側が前記清掃面の中間部側よりも突出高さが低くなることを特徴とする請求項１乃至請求項８のいずれか一項に記載の清掃具。
【請求項１０】
清掃シートを着脱可能に装着する清掃部と該清掃部に連結された把手部とを具備した清掃具に用いられる清掃具用部材であって、
前記清掃用部材は、前記清掃部に着脱可能に装着されるとともに、前記清掃部に装着される装着面と、前記清掃シートを着脱可能に装着し清掃を行う面となる清掃面と、を有し、
前記清掃面には、突出体が設けられ、
前記突出体は、前記清掃面に沿って湾曲または屈曲しながら水平方向に延びて清掃方向に対し突出するように形成される山部と凹状に形成される谷部を有して、前記山部および前記谷部は、前記清掃面において、前記清掃方向の前後に位置し、
更に前記突出体は、前記清掃方向と反対方向となる清掃方向に対しては、後面側が作用して、前記山部が、凹状に形成される谷部となり、前記谷部が、突出するように形成される山部となることを特徴とする清掃用部材。
【請求項１１】
清掃シートを着脱可能に装着する清掃部と該清掃部に連結された把手部とを具備した清掃具に用いられる清掃具用部材であって、
前記清掃用部材は、前記清掃部に着脱可能に装着されるとともに、前記清掃部に装着される装着面と、前記清掃シートを着脱可能に装着し清掃を行う面となる清掃面と、を有し、
前記清掃面には、突出体が設けられ、
前記突出体は、前記清掃面に沿って湾曲または屈曲しながら延びて清掃方向に対し突出するように形成される山部と凹状に形成される谷部を有して、前記山部は、前記清掃面において、前記清掃方向の前方側に位置し、前記谷部は、前記山部と前記清掃方向と交差する方向の位置を異ならせながら前記清掃方向の後方側に位置し、
更に前記突出体は、前記清掃方向と反対方向となる清掃方向に対しては、後面側が作用して、前記山部が、凹状に形成される谷部となり、前記谷部が、突出するように形成される山部となることを特徴とする清掃用部材。
【請求項１２】
前記山部の終端と前記山部に隣り合う谷部の始端が連続して形成されるとともに、前記山部に隣り合う谷部の終端と前記谷部に隣り合う山部の始端が連続して形成されることを特徴とする請求項１０または請求項１１に記載の清掃具用部材。
【請求項１３】
前記突出体は、前記山部において頂部と稜線部を有するとともに、前記谷部において頂部と稜線部を有して、前記山部の終端と前記谷部の始端が連続して形成されるとともに、前記谷部の終端と前記山部の始端が連続して形成されることにより、前記山部の稜線部の端部と前記谷部の稜線部の端部が連続して形成され、前記山部の頂部および前記谷部の頂部の突出高さを前記連続して形成された稜線部の突出高さよりも低くすることを特徴とする請求項１２に記載の清掃具用部材。
【請求項１４】
前記山部の端部と前記谷部の端部は、前記清掃方向に対し交差する方向に離間するとともに、
前記山部の終端と前記山部に隣り合う山部の始端との間隔が、前記谷部の始端と終端との間隔よりも小さく設定され、かつ、前記山部の終端と前記山部に隣り合う山部の始端の位置が、前記谷部の始端と終端との間隔内に設定され、
前記谷部の終端と前記谷部に隣り合う谷部の始端との間隔が、前記山部の始端と終端との間隔よりも小さく設定され、かつ、前記谷部の終端と前記谷部に隣り合う谷部の始端の位置が、前記山部の始端と終端との間隔内に設定されることを特徴とする請求項１０または請求項１１に記載の清掃具用部材。
【請求項１５】
前記突出体は、前記山部において頂部と稜線部を有するとともに、前記谷部において頂部と稜線部を有して、
前記山部の稜線部の端部と前記谷部の稜線部の端部は、前記清掃方向に対し交差する方向に離間し、
前記頂部の突出高さを前記稜線部の突出高さをよりも低くすることを特徴とする請求項１４に記載の清掃具用部材。
【請求項１６】
前記突出体は、前記清掃面の位置で突出高さが異なることを特徴とする請求項１乃至請求項１０のいずれか一項に記載の清掃具用部材。
【請求項１７】
前記突出体は、前記清掃方向の前方側の突出高さが低くなることを請求項１乃至請求項１６のいずれか一項に記載の清掃具用部材。
【請求項１８】
前記突出体は、前記清掃面の端部側が前記清掃面の中間部側よりも突出高さが低くなることを特徴とする請求項１乃至請求項１７のいずれか一項に記載の清掃具用部材。
【発明の詳細な説明】
【技術分野】
【０００１】
本発明は、清掃具に関し、特に清掃面に清掃シートを着脱可能に装着する清掃具および該清掃具に用いられる清掃具用部材に関する。
【背景技術】
【０００２】
従来から清掃部と該清掃部に連結された棒状の把手部とを具備した清掃具が家庭等において広く用いられている。このような掃除具は、例えば特許文献１に示すように、長方形状の清掃部の清掃面に清掃シートを装着し、床面等の清掃を行う。清掃シートは、清掃面に着脱可能に装着され、交換可能となっている。
【先行技術文献】
【特許文献】
【０００３】
【特許文献１】特開２０１６−１９５６９６号
【発明の概要】
【発明が解決しようとする課題】
【０００４】
しかしながら、上述した従来の清掃具にあっては、清掃シートが直ぐに汚れてしまいその交換頻度が多くなり、利用者から煩雑かつ不経済であるとの指摘がされていた。このため、清掃シートの交換頻度を少なくすることができる清掃具の開発が強く望まれていた。
【０００５】
本発明はこのような事情に鑑みてなされたものであり、清掃シートの交換頻度を少なくすることができる清掃具および清掃具用部材を提供することを目的とする。
【課題を解決するための手段】
【０００６】
上記目的を達成するために、清掃具に係る発明は、清掃部と該清掃部に連結された棒状の把手部とを具備した清掃具であって、清掃部は、清掃面に清掃シートを着脱可能に装着するとともに、清掃面には、突出体が設けられ、突出体は、清掃面に沿って湾曲または屈曲しながら水平方向に延びて第１の清掃方向に対し突出するように形成される山部と凹状に形成される谷部を有して、山部および谷部は、清掃面において、清掃方向の前後に位置し、更に突出体は、清掃方向と反対方向となる清掃方向に対しては、後面側が作用して、山部が、凹状に形成される谷部となり、谷部が、突出するように形成される山部となることを特徴とする。
【０００７】
上記目的を達成するために、清掃具に係る発明は、清掃部と該清掃部に連結された把手部とを具備した清掃具であって、清掃部は、清掃面に清掃シートを着脱可能に装着するとともに、清掃面には、突出体が設けられ、突出体は、清掃面に沿って湾曲または屈曲しながら延びて清掃方向に対し突出するように形成される山部と凹状に形成される谷部を有して、山部は、清掃面において、清掃方向の前方側に位置し、谷部は、山部と清掃方向と交差する方向の位置を異ならせながら清掃方向の後方側に位置し、更に突出体は、清掃方向と反対方向となる清掃方向に対しては、後面側が作用して、山部が、凹状に形成される谷部となり、谷部が、突出するように形成される山部となることを特徴とする。
【０００８】
本発明によれば、清掃部は、清掃面に清掃シートを着脱可能に装着するとともに、清掃面には、突出体が設けられ、突出体は、清掃面に沿って湾曲または屈曲しながら水平方向に延びて清掃方向に対し突出するように形成される山部と凹状に形成される谷部を有して、山部および谷部は、清掃面において、清掃方向の前後に位置し、更に突出体は、清掃方向と反対方向となる清掃方向に対しては、後面側が作用して、山部が、凹状に形成される谷部となり、谷部が、突出するように形成される山部となることしたので、より詳しくは、清掃部は、清掃面に清掃シートを着脱可能に装着するとともに、清掃面には、突出体が設けられ、突出体は、清掃面に沿って湾曲または屈曲しながら延びて清掃方向に対し突出するように形成される山部と凹状に形成される谷部を有して、山部は、清掃面において、清掃方向の前方側に位置し、谷部は、山部と清掃方向と交差する方向の位置を異ならせながら清掃方向の後方側に位置し、更に突出体は、清掃方向と反対方向となる清掃方向に対しては、後面側が作用して、山部が、凹状に形成される谷部となり、谷部が、突出するように形成される山部となることとしたので、清掃シートの交換頻度を少なくすることができる。
【０００９】
すなわち、本発明によれば、突出体は、清掃面に沿って湾曲または屈曲しながら延びることとしたので、突出体の長さを長く設定することができるとともに、清掃面に装着した清掃シートにおいて、突出体における清掃方向の前面側および後面側（反対方向の清掃方向の後面側および前面側）の相当位置の双方に塵や汚れを付着させることができる。
【００１０】
また、突出体は、清掃方向に対し突出するように形成される山部と凹状に形成される谷部を有して、山部は、清掃面において、清掃方向の前方側に位置し、谷部は、山部と清掃方向と交差する方向の位置を異ならせながら清掃方向の後方側に位置することとしたので、清掃具を清掃方向に進行させたときには、山部および谷部の前面側に塵や汚れを付着させることができるとともに、谷部に囲まれた領域内には塵を溜めることができる。
【００１１】
更に突出体は、清掃方向と反対方向となる清掃方向に対しては、後面側が作用して、山部が、凹状に形成される谷部となり、谷部が、突出するように形成される山部となることとしたので、清掃具を清掃方向と反対方向に進行させたときには、山部および谷部の後面側に塵や汚れを付着させることができるとともに、山部の後面側（谷部）に囲まれた領域内には塵を溜めることができる。
【００１２】
これにより、清掃シートを効率よく使用することができ、その交換頻度を少なくすることができる。
【００１３】
山部の終端と山部に隣り合う谷部の始端が連続して形成されるとともに、山部に隣り合う谷部の終端と谷部に隣り合う山部の始端が連続して形成されることとすれば、塵や汚れを突出体に確実に付着させることができる。また、山部において塵が付着し切れない場合にあっても、山部で塵を案内しながら谷部に供給して溜めることもできる。
【００１４】
前記突出体は、前記山部において頂部と稜線部を有するとともに、前記谷部において頂部と稜線部を有して、前記山部の終端と前記谷部の始端が連続して形成されるとともに、前記谷部の終端と前記山部の始端が連続して形成されることにより、前記山部の稜線部の端部と前記谷部の稜線部の端部が連続して形成され、前記山部の頂部および前記谷部の頂部の突出高さを前記連続して形成された稜線部の突出高さよりも低くすることとすれば、床面に対する山部の接地力を小さくすることが可能となり、塵を山部から谷部に効率よく導くことができる。
【００１５】
山部の端部と谷部の端部は、清掃方向に対し交差する方向に離間するとともに、山部の終端と山部に隣り合う山部の始端との間隔が、谷部の始端と終端との間隔よりも小さく設定され、かつ、山部の終端と山部に隣り合う山部の始端の位置が、谷部の始端と終端との間隔内に設定され、谷部の終端と谷部に隣り合う谷部の始端との間隔が、山部の始端と終端との間隔よりも小さく設定され、かつ、谷部の終端と谷部に隣り合う谷部の始端の位置が、山部の始端と終端との間隔内に設定されることとすれば、山部および谷部の設置数を増加させることができる。また、清掃方向において、山部の位置と谷部の位置に重複部分ができるので、山部を乗り越える塵がある場合にあっても谷部に付着させることができる。
【００１６】
前記突出体は、前記山部において頂部と稜線部を有するとともに、前記谷部において頂部と稜線部を有して、前記山部の稜線部の端部と前記谷部の稜線部の端部は、前記清掃方向に対し交差する方向に離間し、前記山部の頂部および前記谷部の頂部の突出高さを前記山部の稜線部および前記谷部の稜線部の突出高さよりも低くすることとすれば、床面に対する山部の接地力を小さくすることが可能となり、塵を山部から谷部に効率よく導くことができる。
【００１７】
前記突出体は、前記清掃面の位置で突出高さが異なることとすれば、清掃面の位置によって突出体の接地力を異ならせることができる。
【００１８】
前記突出体は、前記清掃方向の前方側の突出高さが相対的に低くなることとすれば、床面に対する清掃方向の前方側の接地力を小さくすることが可能となり、塵を突出体の清掃方向の前方側から後方側に効率よく導くことができる。
【００１９】
前記突出体は、前記清掃面の端部側が前記清掃面の中間部側よりも突出高さが低くなることとすれば、床面に対する清掃面の端部側の接地力を小さくすることが可能となり、塵を突出体の清掃面の端部側から中間部側に効率よく導くことができる。
【００２０】
上記目的を達成するために、清掃具用部材に係る発明は、清掃シートを着脱可能に装着する清掃部と該清掃部に連結された把手部とを具備した清掃具に用いられる清掃具用部材であって、前記清掃用部材は、前記清掃部に着脱可能に装着されるとともに、前記清掃部に装着される装着面と、前記清掃シートを着脱可能に装着し清掃を行う面となる清掃面と、を有し、前記清掃面には、突出体が設けられ、前記突出体は、前記清掃面に沿って湾曲または屈曲しながら水平方向に延びて清掃方向に対し突出するように形成される山部と凹状に形成される谷部を有して、前記山部および前記谷部は、前記清掃面において、前記清掃方向の前後に位置し、更に前記突出体は、前記清掃方向と反対方向となる清掃方向に対しては、後面側が作用して、前記山部が、凹状に形成される谷部となり、前記谷部が、突出するように形成される山部となることを特徴とする。
【００２１】
上記目的を達成するために、清掃具に係る発明は、清掃シートを着脱可能に装着する清掃部と該清掃部に連結された把手部とを具備した清掃具に用いられる清掃具用部材であって、前記清掃用部材は、前記清掃部に着脱可能に装着されるとともに、前記清掃部に装着される装着面と、前記清掃シートを着脱可能に装着し清掃を行う面となる清掃面と、を有し、前記清掃面には、突出体が設けられ、前記突出体は、前記清掃面に沿って湾曲または屈曲しながら延びて清掃方向に対し突出するように形成される山部と凹状に形成される谷部を有して、前記山部は、前記清掃面において、前記清掃方向の前方側に位置し、前記谷部は、前記山部と前記清掃方向と交差する方向の位置を異ならせながら前記清掃方向の後方側に位置し、更に前記突出体は、前記清掃方向と反対方向となる清掃方向に対しては、後面側が作用して、前記山部が、凹状に形成される谷部となり、前記谷部が、突出するように形成される山部となることを特徴とする清掃用部材。
【００２２】
前記山部の終端と前記山部に隣り合う谷部の始端が連続して形成されるとともに、前記山部に隣り合う谷部の終端と前記谷部に隣り合う山部の始端が連続して形成されることとすることができる。
【００２３】
前記突出体は、前記山部において頂部と稜線部を有するとともに、前記谷部において頂部と稜線部を有して、前記山部の終端と前記谷部の始端が連続して形成されるとともに、前記谷部の終端と前記山部の始端が連続して形成されることにより、前記山部の稜線部の端部と前記谷部の稜線部の端部が連続して形成され、前記山部の頂部および前記谷部の頂部の突出高さを前記連続して形成された稜線部の突出高さよりも低くすることができる。
【００２４】
前記山部の端部と前記谷部の端部は、前記清掃方向に対し交差する方向に離間するとともに、前記山部の終端と前記山部に隣り合う山部の始端との間隔が、前記谷部の始端と終端との間隔よりも小さく設定され、かつ、前記山部の終端と前記山部に隣り合う山部の始端の位置が、前記谷部の始端と終端との間隔内に設定され、前記谷部の終端と前記谷部に隣り合う谷部の始端との間隔が、前記山部の始端と終端との間隔よりも小さく設定され、かつ、前記谷部の終端と前記谷部に隣り合う谷部の始端の位置が、前記山部の始端と終端との間隔内に設定されることとすることができる。
【００２５】
前記突出体は、前記山部において頂部と稜線部を有するとともに、前記谷部において頂部と稜線部を有して、前記山部の稜線部の端部と前記谷部の稜線部の端部は、前記清掃方向に対し交差する方向に離間し、前記頂部の突出高さを前記稜線部の突出高さよりも低くすることとができる。
【００２６】
前記突出体は、前記清掃面の位置で突出高さが異なることすることができる。
【００２７】
前記突出体は、前記清掃方向の前方側より詳しくは前端側の突出高さが低くなることとすることができる。
【００２８】
前記突出体は、前記清掃面の端部側が前記清掃面の中間部側よりも突出高さが低くなることとすることができる。
【発明の効果】
【００２９】
本発明によれば、清掃シートの交換頻度を少なくすることができる。
【図面の簡単な説明】
【００３０】
【図１】本発明の第１実施形態における清掃具の全体構成を示す図で、（ａ）は清掃具用部材を装着する前の状態を示す正面図、（ｂ）は清掃具用部材を装着した後の状態を示す正面図、（ｃ）は平面図（上面図）、（ｄ）は、下面図である。
【図２】同清掃具の構成を拡大して示す下面図である。
【図３】同清掃具の使用方法を説明するための下面図である。
【図４】同清掃具の使用方法を説明するための図３に続く下面図である。
【図５】同清掃具の使用方法を説明するための図４に続く下面図である。
【図６】同清掃具の使用方法を説明するための図５に続く下面図である。
【図７】同清掃具の使用方法を説明するための図６に続く下面図である。
【図８】本発明の第１実施形態における別の清掃具の構成を拡大して示す下面図である。
【図９】本発明の第２実施形態における清掃具の構成を拡大して示す下面図である。
【図１０】本発明の第２実施形態における別の清掃具の構成を拡大して示す下面図である。
【図１１】本発明の第３実施形態における清掃具の構成を拡大して示す下面図である。
【図１２】本発明の第３実施形態における別の清掃具の構成を拡大して示す下面図である。
【図１３】本発明の第３実施形態における更に別の清掃具の構成を拡大して示す下面図である。
【図１４】本発明の第３実施形態におけるまた更に別の清掃具の構成を拡大して示す下面図である。
【図１５】本発明の第４実施形態における清掃具の構成を拡大して示す下面図である。
【図１６】本発明の第４実施形態における別の清掃具の構成を拡大して示す下面図である。
【図１７】本発明の第４実施形態における更に別の清掃具の構成を拡大して示す下面図である。
【図１８】本発明の第４実施形態におけるまた更に別の清掃具の構成を拡大して示す下面図である。
【図１９】本発明の第４実施形態における更にまた別の清掃具の構成を拡大して示す下面図である。
【図２０】本発明の第４実施形態における別の清掃具の構成を拡大して示す下面図である。
【図２１】本発明の第４実施形態における更に別の清掃具の構成を拡大して示す下面図である。
【図２２】本発明の第４実施形態におけるまた更に別の清掃具の構成を拡大して示す下面図である。
【図２３】本発明の第５実施形態における清掃具の構成を拡大して示す下面図である。
【図２４】本発明の第５実施形態における清掃具の構成を更に拡大して示す図２３のＡ−Ａ側面断面図である。
【図２５】本発明の第５実施形態における清掃具の構成を拡大して示す正面図である。
【図２６】本発明の第５実施形態における清掃具の構成を拡大して示す図２３のＢ−Ｂ正面断面図である。
【図２７】本発明の第６実施形態における清掃具の構成を拡大して示す下面図である。
【図２８】本発明の第５実施形態における清掃具の構成を更に拡大して示す図２７のＡ−Ａ側面断面図である。
【図２９】本発明の清掃具における突出体の断面構造を拡大して示す側面断面図である。
【発明を実施するための形態】
【００３１】
以下、本発明の実施形態について図面を参照して詳細に説明する。
【００３２】
[第１実施形態]
図１は、本発明の第１実施形態に係る清掃具１の全体構成を示す図であり、図２は、清掃具１より詳しくは清掃具用部材１００における清掃面７の構成を拡大して示す下面図である。これらの図を参照して清掃具１の全体構成の概要を説明すると、清掃具１は、清掃部５と、清掃具用部材１００と、清掃部５に連結された棒状の把手部６と、を具備している。
【００３３】
清掃部５は、矩形状より詳しくは長方形状をなしており、下面側に清掃具用部材１００を装着している。清掃具用部材１００は、清掃部５と同じく矩形状より詳しくは長方形状をなしており、清掃部５に着脱可能に装着されるとともに、清掃部５に装着される装着面７ｄと、清掃シート２００を着脱可能に装着し清掃を行う面となる清掃面７と、を有している。
【００３４】
清掃具用部材１００は、両面テープ等の部材により装着面７ｄを介して清掃部５に容易に装着することができ、容易に交換可能となっている。
【００３５】
清掃面７には、第１の突出体１０、第２の突出体２０、第３の突出体３０が設けられている。清掃面７に装着された清掃シート２００には、第１の突出体１０乃至第３の突出体３０の突出形状に対応する凹凸が形成され、この凹凸に塵や汚れを付着させることができる。
【００３６】
第１の突出体１０は、清掃面７の下方側に突出している。第１の突出体１０は、清掃面７の中央部に設けられ、清掃面７に沿ってＵ字状（若しくは頂部１１ａ，１２ａが円弧形状のＶ字状）に蛇行しつつ湾曲しながら水平方向に細長い線状に延びており、第１の山部１１と第１の谷部１２を有している。
【００３７】
第１の突出体１０の第１の山部１１と第１の谷部１２は、湾曲する円弧状の頂部１１Ａ，１２Ａと直線状の傾斜部１１Ｂ，１２Ｂより詳しくは直線状の稜線部１１Ｂ，１２Ｂを有している。
【００３８】
第１の山部１１は、前方方向つまり第１の清掃方向（長方形状の長辺部８に交差する方向より詳しくは直交する方向若しくは短辺部９に沿った方向）に対し突出するように形成されており、第１の谷部１２は、第１の清掃方向に対し窪むように凹状に形成されている。第１の山部１１および第１の谷部１２は、清掃面７の中央ライン７ａを介して前後に位置している。第１の山部１１および第１の谷部１２は、第１の清掃方向に対し交差する方向より詳しくは直交する方向に沿って一列に複数並んで設けられるとともに、交互に配置されている。
【００３９】
すなわち、第１の山部１１は、清掃面７において、第１の清掃方向の前方側に位置し、第１の谷部１２は、第１の山部１１と第１の清掃方向と交差する方向より詳しくは直交する方向の位置を異ならせながら第１の清掃方向の後方側に位置している。
【００４０】
ここで、第１の山部１１と第１の谷部１２は、対称な形状となっており、第１の山部１１は、第１の清掃方向と反対方向となる第２の清掃方向（長方形状の長辺部８に交差する方向より詳しくは直交する方向若しくは短辺部９に沿った方向）つまり後方方向に対しては、後面側が作用して、凹状に形成される谷部となり、第１の谷部１２は、後面側が作用して、突出するように形成される山部となる。
【００４１】
なお、第１の突出体１０は、第１の山部１１の終端１１ｂと第１の山部１１に隣り合う第１の谷部１２の始端１２ａが連続して形成されるとともに、該第１の谷部１２の終端１２ｂと該第１の谷部１２に隣り合う第１の山部１１の始端１１ａが連続して形成されており、一の線状部材で形成されている。
【００４２】
第２の突出体２０および第３の突出体３０は、第１の突出体１０を挟んで相互に対称に第１の突出体１０の反対側に設けられ、清掃面７の下方側に突出するとともに、清掃面７に沿ってＵ字状に蛇行しつつ湾曲しながら水平方向に細長い線状に延びている。第２の突出体２０および第３の突出体３０は、第１の突出体１０と長方形状の短辺部９との間に設けられている。第２の突出体２０および第３の突出体３０は、第１の突出体１０よりも小さい寸法に設定されている。
【００４３】
第２の突出体２０は、第２の山部２１と第２の谷部２２を有している。第２の山部２１および第２の谷部２２は、第３の清掃方向に対し交差する方向より詳しくは直交する方向に一列に複数並んで設けられるとともに、交互に配置されている。第２の突出体２０の第２の山部２１と第２の谷部２２は、頂部と傾斜部より詳しくは稜線部を有している。
【００４４】
第２の山部２１は、第１の清掃方向に交差より詳しくは直交する第３の清掃方向（長方形状の短辺部９に交差する方向より詳しくは直交する方向若しくは長辺部８に沿った方向）つまり一の側方方向に対し突出するように形成されており、第２の谷部２２は、第３の清掃方向に対し窪むように凹状に形成されている。第２の山部２１および第２の谷部２２は、中央ライン７ｂを介して第３の清掃方向の前後に位置している。
【００４５】
すなわち、第２の山部２１は、清掃面７において、第３の清掃方向の前方側に位置し、第２の谷部２２は、第２の山部２１と第３の清掃方向と交差する方向より詳しくは直交する方向の位置を異ならせながら第３の清掃方向の後方側に位置している。
【００４６】
ここで、第２の山部２１と第２の谷部２２は、対称な形状となっており、第２の山部２１は、第３の清掃方向と反対方向となる第４の清掃方向（長方形状の短辺部９に交差する方向より詳しくは直交する方向若しくは長辺部８に沿った方向）つまり他の側方方向に対しては、後面側が作用して、凹状に形成される谷部となり、第２の谷部は、突出するように形成される山部となる。
【００４７】
なお、第２の突出体２０は、第２の山部２１の終端２１ｂと第２の山部２１に隣り合う第２の谷部２２の始端２２ａが連続して形成されるとともに、該第２の谷部２２の終端２２ｂと該第１の谷部２２に隣り合う第２の山部２１の始端２１ａが連続して形成されており、一の線状部材で形成されている。
【００４８】
第３の突出体３０は、第３の山部３１と第３の谷部３２を有している。第３の山部３１および第３の谷部３２は、第４の清掃方向に対し交差する方向より詳しくは直交する方向に一列に複数並んで設けられるとともに、交互に配置されている。第３の突出体３０の第３の山部３１と第３の谷部３２は、頂部と傾斜部より詳しくは稜線部を有している。
【００４９】
第３の山部３１は、第３の清掃方向と反対方向となる第４の清掃方向に対し突出するように形成されており、第３の谷部３２は、第４の清掃方向に対し窪むように凹状に形成されている。第３の山部３１および第３の谷部３２は、中央ライン７ｃを介して前後に位置している。
【００５０】
すなわち、第３の山部３１は、清掃面７において、第４の清掃方向の前方側に位置し、第３の谷部３１は、第３の山部３１と第４の清掃方向と交差する方向より詳しくは直交する方向の位置を異ならせながら第４の清掃方向の後方側に位置している。
【００５１】
ここで、第３の山部３１と第３の谷部３２は、対称な形状となっており、第３の山部３１は、第４の清掃方向と反対方向となる第３の清掃方向に対しては、後面側が作用して、凹状に形成される谷部となり、第３の谷部３２は、突出するように形成される山部となる。
【００５２】
なお、第３の突出体３０は、第３の山部３１の終端３１ｂと第３の山部３１に隣り合う第３の谷部３２の始端３２ａが連続して形成されるとともに、該第３の谷部３２の終端３２ｂと該第１の谷部３２に隣り合う第３の山部３１の始端３１ａが連続して形成されており、一の線状部材で形成されている。
【００５３】
以上のように構成された清掃具１は、床面等を以下のように清掃することができる。
【００５４】
すなわち、図３に示すように、清掃具１の前方側に塵や汚れがある場合にあっては、清掃具１を第１の清掃方向に進行させる。これにより、図４に示すように、第１の突出体１０において、第１の山部１１および第１の谷部１２の前面側に塵や汚れを付着させることができるとともに、第１の谷部１２に囲まれた領域内には塵を溜めることができる。
【００５５】
続いて、図５に示すように、清掃具１を第２の清掃方向に進行させたときには、清掃具１の後方側にある塵や汚れを第１の山部１１および第１の谷部１２の後面側に付着させることができるとともに、第１の山部１１の後面側（谷部）に囲まれた領域内には塵を溜めることができる。
【００５６】
次いで、図６に示すように、清掃具１を第３の清掃方向に進行させたときには、清掃具１の一の側方側にある塵や汚れを第２の突出体２０の第２の山部２１および第２の谷部２２の前面側に付着させることができるとともに、第２の谷部２２に囲まれた領域内には塵を溜めることができる。
【００５７】
次に、図７に示すように、清掃具１を第４の清掃方向に進行させたときには、清掃具１の他の側方側にある塵や汚れを第３の突出体３０の第３の山部３１および第３の谷部３２の前面側に付着させることができるとともに、第３の谷部３２に囲まれた領域内には塵を溜めることができる。
【００５８】
以上説明したように、本第１実施形態の清掃具１によれば、清掃部５は、清掃面７に清掃シート２００を着脱可能に装着するとともに、清掃面７には、第１の突出体１０が設けられ、第１の突出体１０は、清掃面７に沿って湾曲しながら水平方向に延びて第１の清掃方向に対し突出するように形成される第１の山部１１と凹状に形成される第１の谷部１２を有して、第１の山部１１および第１の谷部１２は、清掃面７において、第１の清掃方向の前後に位置し、更に第１の突出体１０は、第１の清掃方向と反対方向となる第２の清掃方向に対しては、後面側が作用して、第１の山部１１が、凹状に形成される谷部となり、第１の谷部１２が、突出するように形成される山部となることしたので、より詳しくは、清掃部５は、清掃面７に清掃シート２００を着脱可能に装着するとともに、清掃面７には、第１の突出体１０が設けられ、第１の突出体１０は、清掃面７に沿って湾曲しながら延びて第１の清掃方向に対し突出するように形成される第１の山部１１と凹状に形成される第１の谷部１２を有して、第１の山部１１は、清掃面７において、第１の清掃方向の前方側に位置し、第１の谷部１２は、第１の山部１１と第１の清掃方向と交差する方向の位置を異ならせつつ第１の清掃方向の後方側に位置し、更に第１の突出体１０は、第２の清掃方向に対しては、後面側が作用して、第１の山部１１が、凹状に形成される谷部となり、第１の谷部が、突出するように形成される山部となることとしたので、清掃シート２００の交換頻度を少なくすることができる。
【００５９】
すなわち、第１の突出体１０は、清掃面７に沿って湾曲しながら延びることとしたので、第１の突出体１０の長さを長く設定することができるとともに、清掃面７に装着した清掃シート２００において、第１の突出体１０における第１の清掃方向の前面側および後面側（第２の清掃方向の後面側および前面側）の相当位置の双方に塵や汚れを付着させることができる。
【００６０】
また、第１の突出体１０は、第１の清掃方向に対し突出するように形成される第１の山部１１と凹状に形成される第１の谷部１２を有して、第１の山部１１は、清掃面７において、第１の清掃方向の前方側に位置し、第１の谷部１２は、第１の山部１１と第１の清掃方向と交差する方向の位置を異ならせつつ第１の清掃方向の後方側に位置することとしたので、清掃具１を第１の清掃方向に進行させたときには、第１の山部１１および第１の谷部１２の前面側に塵や汚れを付着させることができるとともに、第１の谷部１２に囲まれた領域内には塵を溜めることができる。
【００６１】
更に第１の突出体１０は、第２の清掃方向に対しては、後面側が作用して、第１の山部１１が、凹状に形成される谷部となり、第１の谷部１２が、突出するように形成される山部となることとしたので、清掃具１を第２の清掃方向に進行させたときには、第１の山部１１および第１の谷部１２の後面側に塵や汚れを付着させることができるとともに、第１の山部１１の後面側（谷部）に囲まれた領域内には塵を溜めることができる。
【００６２】
これにより、清掃シート２００を効率よく使用することができ、その交換頻度を少なくすることができる。
【００６３】
また、第１の山部１１の終端１１ｂと第１の山部１１に隣り合う第１の谷部１２の始端１２ａが連続して形成されるとともに、該第１の谷部１２の終端１２ｂと該第１の谷部１２に隣り合う第１の山部１１の始端１１ａが連続して形成されることとしたので、塵や汚れを第１の突出体１０に確実に付着させることができる。また、第１の山部１１において塵が付着し切れない場合にあっても、第１の山部１１で塵を案内しながら第１の谷部１２に供給して溜めることができる。
【００６４】
更に本第１実施形態の清掃具１によれば、第１の清掃方向に交差する第３の清掃方向を設定し、清掃面７には、第２の突出体２０および第３の突出体３０が設けられ、第２の突出体２０および第３の突出体３０は、第１の突出体１０を挟んで相互に第１の突出体１０の反対側に設けられ、清掃面７に沿って湾曲しながら水平方向に延びて、第２の突出体２０は、第３の清掃方向に対し突出するように形成される第２の山部２１と凹状に形成される第２の谷部２２を有して、第２の山部２１および第２の谷部２２は、清掃面７において、第３の清掃方向の前後に位置し、第２の谷部２２は、第２の山部２１と第３の清掃方向と交差する方向の位置を異ならせながら位置し、更に第２の突出体２０は、第３の清掃方向と反対方向となる第４の清掃方向に対しては、後面側が作用して、第２の山部２１が、凹状に形成される谷部となり、第２の谷部２２が、突出するように形成される山部となり、第３の突出体２０は、第４の清掃方向に対し突出するように形成される第３の山部３１と凹状に形成される第３の谷部３２を有して、第３の山部３１および第３の谷部３２は、清掃面７において、第４の清掃方向の前後に位置し、第３の谷部３２は、第３の山部３１と第４の清掃方向と交差する方向の位置を異ならせながら位置し、更に第３の突出体３０は、第４の清掃方向と反対方向となる第３の清掃方向に対しては、後面側が作用して、第３の山部３１が、凹状に形成される谷部となり、第３の谷部３２が、突出するように形成される山部となることとしたので、より詳しくは、第１の清掃方向に交差する第３の清掃方向を設定し、清掃面７には、第２の突出体２０および第３の突出体３０が設けられ、第２の突出体２０および第３の突出体３０は、第１の突出体１０を挟んで相互に第１の突出体１０の反対側に設けられ、清掃面７に沿って湾曲しながら水平方向に延びて、第２の突出体２０は、第３の清掃方向に対し突出するように形成される第２の山部２１と凹状に形成される第２の谷部２２を有して、第２の山部２１は、清掃面７において、第３の清掃方向の前方側に位置し、第２の谷部２２は、第２の山部２１と第３の清掃方向と交差する方向の位置を異ならせながら第３の清掃方向の後方側に位置し、更に第２の突出体２０は、第３の清掃方向と反対方向となる第４の清掃方向に対しては、後面側が作用して、第２の山部２１が、凹状に形成される谷部となり、第２の谷部２２が、突出するように形成される山部となり、第３の突出体３０は、第４の清掃方向に対し突出するように形成される第３の山部３１と凹状に形成される第３の谷部３２を有して、第３の山部３１は、清掃面７において、第４の清掃方向の前方側に位置し、第３の谷部３２は、第３の山部３１と第４の清掃方向と交差する方向の位置を異ならせながら第４の清掃方向の後方側に位置し、更に第３の突出体３０は、第４の清掃方向と反対方向となる第３の清掃方向に対しては、後面側が作用して、第３の山部３１が、凹状に形成される谷部となり、第３の谷部３２が、突出するように形成される山部となることとしたので、清掃シート２００の交換頻度を更に少なくすることができる。
【００６５】
すなわち、第２の突出体２０および第３の突出体３０は、第１の突出体１０を挟んで相互に第１の突出体１０の反対側に設けられ、清掃面７に沿って湾曲させながら延びることとしたので、第２の突出体２０および第３の突出体３０の長さを長く設定することができるとともに、清掃面７に装着した清掃シート２００において、第２の突出体２０における第３の清掃方向の前面側および後面側（第４の清掃方向の後面側および前面側）、第３の突出体３０における第４の清掃方向の前面側および後面側（第３の清掃方向の後面側および前面側）の相当位置の双方に塵や汚れを付着させることができる。
【００６６】
また、第２の突出体２０は、第３の清掃方向に対し突出するように形成される第２の山部２１と凹状に形成される第２の谷部２２を有して、第２の山部２１は、清掃面７において、第３の清掃方向の前方側に位置し、第２の谷部２２は、第２の山部２１と第３の清掃方向と交差する方向の位置を異ならせながら第３の清掃方向の後方側に位置することとしたので、清掃具１を第３の清掃方向に進行させたときには、第２の山部２１および第２の谷部２２の前面側に塵や汚れを付着させることができるとともに、第２の谷部２２に囲まれた領域内には塵を溜めることができる。
【００６７】
更に第２の突出体２０は、第３の清掃方向と反対方向となる第４の清掃方向に対しては、後面側が作用して、第２の山部２１が、凹状に形成される谷部となり、第２の谷部２２は、突出するように形成される山部となることとしたので、清掃具１を第３の清掃方向と反対方向（第４の清掃方向）に進行させたときには、第２の山部２１および第２の谷部２２の後面側にも塵や汚れを付着させることができるとともに、第２の山部２１の後面側（谷部）に囲まれた領域内には塵を溜めることができる。
【００６８】
また、第３の突出体３０は、第４の清掃方向に対し突出するように形成される第３の山部３１と凹状に形成される第３の谷部３２を有して、第３の山部３１は、清掃面７において、第３の清掃方向の前方側に位置し、第３の谷部３２は、第３の山部３１と第４の清掃方向と交差する方向の位置を異ならせながら第４の清掃方向の後方側に位置することとしたので、清掃具１を第４の清掃方向に進行させたときには、第３の山部３１および第３の谷部３２の前面側に塵や汚れを付着させることができるとともに、第３の谷部３２に囲まれた領域内には塵を溜めることができる。
【００６９】
更に第３の突出体３０は、第４の清掃方向と反対方向となる第３の清掃方向に対しては、後面側が作用して、第３の山部３１が、凹状に形成される谷部となり、第３の谷部３２が、突出するように形成される山部となることとしたので、清掃具１を第４の清掃方向と反対方向（第３の清掃方向）に進行させたときには、第３の山部３１および第３の谷部３２の後面側にも塵や汚れを付着させることができるとともに、第３の山部３１の後面側（谷部）に囲まれた領域内には塵を溜めることができる。
【００７０】
これにより、清掃シート２００を効率よく使用することができ、その交換頻度を少なくすることができる。
【００７１】
また、第２の山部２１の終端２１ｂと第２の山部２１に隣り合う第２の谷部２２の始端２２ａが連続して形成されるとともに、第２の山部２１に隣り合う第２の谷部２２の終端２２ｂと第２の谷部２２に隣り合う第２の山部２１の始端２１ａが連続して形成され、第３の山部３１の終端３１ｂと第３の山部３１に隣り合う第３の谷部３２の始端３２ａが連続して形成されるとともに、第３の山部３１に隣り合う第３の谷部３２の終端３２ｂと第３の谷部３２に隣り合う第３の山部３１の始端３１ａが連続して形成されることとしたので、第２の突出体２０および第３の突出体３０を隙間なく連続して形成することができ、塵や汚れを第２の突出体２０および第３の突出体３０に確実に付着させることができる。また、第２の山部２１および第３の山部３１において塵が付着し切れない場合にあっても、第２の山部２１および第３の山部３１で塵を案内しながら第２の谷部２２および第３の谷部３２に供給して溜めることができる。
【００７２】
なお、以上のように構成された本第１実施形態の清掃具１においては、第１の突出体１０乃至第３の突出体３０（第１の山部１１乃至第３の山部３１、第１の谷部１２乃至第３の谷部３２）をＵ字状に形成することとしているが、図８に示す清掃具１´のように、第１の突出体１０´、第２の突出体２０´、第３の突出体３０´（第１の山部１１´，第２の山部２１´，第３の山部３１´、第１の谷部１２´，第２の谷部２２´，第３の谷部３２´）を清掃面７´に沿って屈曲させながら水平方向に延びるＶ字状に形成することとしても所要の清掃効果を奏することができる。ただし、第１の突出体乃至第３の突出体をＵ字状とした方がＶ字状とするよりも容易に長さを長く設定することができるので、Ｕ字状とする方がより好ましい。なお、第１の突出体１０´、第２の突出体２０´、第３の突出体３０´の第１の山部１１´、第２の山部２１´、第３の山部３１´、第１の谷部１２´、第２の谷部２２´、第３の谷部３２´においても頂部と傾斜部より詳しくは稜線部を有している。
【００７３】
ここで、本第１実施形態にあっては、第１の突出体１０，１０´の第１の山部１１，１１´および第１の谷部１２，１２´の高さ寸法は、第１の山部１１，１１´および第１の谷部１２，１２´の開口の寸法（幅寸法）よりも大きく設定することとしており、これにより、第１の突出体１０の長さを一層長く設定することを可能としている。
【００７４】
また、第２、第３の突出体２０，２０´，３０，３０´の第２、第３の山部２１，２１´，３１，３１´および第２、第３の谷部２２，２２´，３２，３２´の高さ寸法に対する幅寸法（開口寸法）の比は、第１の山部１１，１１´および第１の谷部１２，１２´の高さ寸法に対する幅寸法（開口寸法）の比よりも大きく設定することとしており、第１の突出体１０，１０´と第２の突出体２０，２０´および第３の突出体３０，３０´は相互に非相似形であり異形となっている。
【００７５】
すなわち、本第１実施形態にあっては、第２、第３の山部２１，２１´，３１，３１´および第２、第３の谷部２２，２２´，３２，３２´の開口の寸法（幅寸法）を相対的に大きく設定することとしており、これにより、第１の突出体１０、１０´に対し小さい寸法に設定される第２、第３の突出体２０，２０´，３０，３０´においても塵等により目詰まりすることを極力防止することとしている。
【００７６】
[第２実施形態]
次に本発明の第２実施形態について図９に基づいて詳細に説明する。なお、同図において、上述した第１実施形態と同一の符号が付された構成または同様の構成であって対応する構成については、その構成と同様であるとしてその説明を省略することがあるものとする。
【００７７】
本発明の第２実施形態の清掃具２は、第１実施形態の清掃具１に対し山部と谷部の位置を変更した構成を示している、より詳しくは、山部と谷部を分離し、離間させた構成を示している。
すなわち、本第２実施形態においては、第１の突出体４０における第１の山部１１の端部と第１の谷部１２の端部は、第１の清掃方向に対し交差する方向に離間し、より詳しくは、第１の清掃方向における位置を同一としつつ第１の清掃方向に対し直交する方向に位置をずらして離間している。
【００７８】
つまり、第１の山部１１の終端１１ｂと第１の山部１１に隣り合う第１の山部１１の始端１１ａとの間隔が、同一の第１の谷部１２の始端１２ａと終端１２ｂとの間隔よりも小さく設定され、かつ、第１の山部１１の終端１１ｂと第１の山部１１に隣り合う第１の山部１１の始端１１ａの位置が、同一の第１の谷部１２の始端１２ａと終端１２ｂとの間隔内に設定されている。
【００７９】
そして、第１の谷部１２の終端１２ｂと第１の谷部１２に隣り合う第１の谷部１２の始端１２ａとの間隔が、同一の第１の山部１１の始端１１ａと終端１１ｂとの間隔よりも小さく設定され、かつ、第１の谷部１２の終端１２ｂと第１の谷部１２に隣り合う第１の谷部１２の始端１２ａの位置が、同一の第１の山部１１の始端１１ａと終端１１ｂとの間隔内に設定されることとしている。
【００８０】
これにより、第１の山部１１および第１の谷部１２の設置数を増加させることができる。また、第１の清掃方向において、第１の山部１１の位置と第１の谷部１２の位置に重複部分ができるので、第１の山部１１を乗り越える塵がある場合にあっても第１の谷部１２に付着させることができる。
【００８１】
また、本第２実施形態においては、第２の突出体５０における第２の山部２１の端部と第２の谷部２２の端部は、第３の清掃方向に対し交差する方向に離間し、より詳しくは、第３の清掃方向における位置を同一としつつ第３の清掃方向に対し直交する方向に位置をずらして離間している。
【００８２】
つまり、第２の山部２１の終端２１ｂと第２の山部２１に隣り合う第２の山部２１の始端２１ａとの間隔が、同一の第２の谷部２２の始端２２ａと終端２２ｂとの間隔よりも小さく設定され、かつ、第２の山部２１の終端２１ｂと第２の山部２１に隣り合う第２の山部２１の始端２１ａの位置が、同一の第２の谷部２２の始端２２ａと終端２２ｂとの間隔内に設定されている。
【００８３】
そして、第２の谷部２２の終端２２ｂと第２の谷部２２に隣り合う第２の谷部２２の始端２２ａとの間隔が、同一の第２の山部２１の始端２１ａと終端２１ｂとの間隔よりも小さく設定され、かつ、第２の谷部２２の終端２２ｂと第２の谷部２２に隣り合う第２の谷部２２の始端２２ａの位置が、同一の第２の山部２１の始端２１ａと終端２１ｂとの間隔内に設定されることとしている。
【００８４】
更に、本第２実施形態においては、第３の突出体６０における第３の山部３１の端部と第３の谷部３２の端部は、第４の清掃方向に対し交差する方向に離間し、より詳しくは、第４の清掃方向における位置を同一としつつ第４の清掃方向に対し直交する方向に位置をずらして離間している。
【００８５】
つまり、第３の山部３１の終端３１ｂと第３の山部３１に隣り合う第３の山部３１の始端３１ａとの間隔が、同一の第３の谷部３２の始端３２ａと終端３２ｂとの間隔よりも小さく設定され、かつ、第３の山部３１の終端３１ｂと第３の山部３１に隣り合う第３の山部３１の始端３１ａの位置が、同一の第３の谷部３２の始端３２ａと終端３２ｂとの間隔内に設定されている。
【００８６】
そして、第３の谷部３２の終端３２ｂと第３の谷部３２に隣り合う第３の谷部３２の始端３２ａとの間隔が、同一の第３の山部３１の始端３１ａと終端３１ｂとの間隔よりも小さく設定され、かつ、第３の谷部３２の終端３２ｂと第３の谷部３２に隣り合う第３の谷部３２の始端３２ａの位置が、同一の第３の山部３１の始端３１ａと終端３１ｂとの間隔内に設定されることとしている。
【００８７】
これにより、第２，第３の山部２１，３１および第２，第３の谷部２２，３２の設置数を増加させることができる。また、第３，第４の清掃方向において、第２，第３の山部２１，３１の位置と第２，第３の谷部２２，３２の位置に重複部分ができるので、第２，第３の山部２１，３１を乗り越える塵がある場合にあっても第２，第３の谷部２２，３２に付着させることができる。
【００８８】
なお、以上のように構成された本第２実施形態の清掃具２においては、上記の如く第１の突出体４０乃至第３の突出体６０（第１の山部１１乃至第３の山部３１、第１の谷部１２乃至第３の谷部３２）をＵ字状に形成することとしているが、図１０に示す清掃具２´のように、第１の突出体４０´乃至第３の突出体６０´（第１の山部１１´乃至第３の山部３１´、第１の谷部１２´乃至第３の谷部３２´）を清掃面７´に沿って屈曲させながら水平方向に細長い線状に延びるＶ字状に形成することとしても所要の効果を奏することができる。ただし、第１の突出体乃至第３の突出体６０をＵ字状とした方がＶ字状とするよりも容易に長さを長く設定することができ、Ｕ字状とする方がより好ましい。
【００８９】
ここで、本第２実施形態にあっては、第１の突出体４０，４０´の第１の山部１１，１１´および第１の谷部１２，１２´の高さ寸法は、第１の山部１１，１１´および第１の谷部１２，１２´の開口の寸法（幅寸法）よりも大きく設定することとしており、これにより、第１の突出体４０の長さを一層長く設定することを可能としている。
【００９０】
また、第２、第３の突出体５０，５０´，６０，６０´の第２、第３の山部２１，２１´，３１，３１´および第２、第３の谷部２２，２２´，３２，３２´の高さ寸法に対する幅寸法（開口寸法）の比は、第１の山部１１，１１´および第１の谷部２２，２２´の高さ寸法に対する幅寸法（開口寸法）の比よりも大きく設定することとしており、第１の突出体４０，４０´と第２の突出体５０，５０´および第３の突出体６０，６０´は相互に非相似形であり異形となっている。
【００９１】
すなわち、本第２実施形態にあっては、第２、第３の山部２１，２１´，３１，３１´および第２、第３の谷部２２，２２´，３２，３２´の開口寸法（幅寸法）を相対的に大きく設定することとしており、これにより、第１の突出体４０、４０´に対し小さい寸法に設定される第２、第３の突出体５０，５０´，６０，６０´においても塵等により目詰まりすることを極力防止することとしている（なお、本第２実施形態においても、第２の突出体５０，５０´および第３の突出体６０，６０´は、第１の突出体４０，４０´よりも小さい寸法に設定されていることは言うまでもない）。なお、本第２実施形態においても第１の突出体４０，４０´の第１の山部１１，１１´および第１の谷部１２，１２´、第２の突出体５０，５０´の第２の山部２１，２１´および第２の谷部２２，２２´、第３の突出体６０，６０´の第３の山部３１，３１´および第３の谷部３２，３２´は、頂部および傾斜部より詳しくは稜線部を有している。
【００９２】
[第３実施形態]
次に本発明の第３実施形態について図１１および図１２に基づいて詳細に説明する。なお、これらの図において、上述した第１実施形態および第２実施形態と同一の符号が付された構成または同様の構成であって対応する構成については、その構成と同様であるとしてその説明を省略することがあるものとする。
【００９３】
本発明の第３実施形態の清掃具３（３ａ，３ｂ）は、第１実施形態、第２実施形態の第２の突出体２０，５０および第３の突出体３０，６０を変更した構成を示している。
【００９４】
すなわち、本第３実施形態においては、清掃面７には、第１実施形態、第２実施形態の第２の突出体２０，５０および第３の突出体３０，６０に代えて第２の突出体７０および第３の突出体８０が設けられている。
【００９５】
つまり、第２の突出体７０および第３の突出体８０は、清掃面７の下方側に突出するとともに、清掃面７に沿ってＵ字状に湾曲しながら水平方向に細長い線状に延びて、第２の突出体７０は、第３の清掃方向に対し凹状に形成される第２の谷部２２を有し、第３の突出体８０は、第４の清掃方向に対し凹状に形成される第３の谷部３２を有し、更に第２の突出体７０および第３の突出体８０は、第１の突出体１０，４０を挟んで相互に第１の突出体１０，４０の反対側に設けられている。
【００９６】
そして、第２，第３の谷部２２，３２は、第３、第４の清掃方向に対し交差する方向より詳しくは直交する方向に端部が相互に隣接するように一列に複数並んで設けられている。
【００９７】
すなわち、本第３実施形態にあっては、第２の突出体７０および第３の突出体８０は、山部を有さずに谷部のみで構成されることとしているが、第２の突出体７０および第３の突出体８０は、第１の突出体１０，４０を挟んで相互に第１の突出体１０，４０の反対側に設けられているので、第２の突出体７０および第３の突出体８０の後面側が清掃に作用することは少なく、山部を設けることなく谷部のみとしても十分な清掃効果を得ることができる。
【００９８】
なお、以上のように構成された本第３実施形態の清掃具３（３ａ，３ｂ）においては、上記の如く第２の突出体７０および第３の突出体８０（第２の谷部２２および第３の谷部３２）をＵ字状に形成することとしているが、図１３および図１４に示す清掃具３´（３ａ´，３ｂ´）のように、第２の突出体７０´および第３の突出体８０´（第２の谷部２２´および第３の谷部３２´）を清掃面７´に沿って屈曲させながら水平方向に細長い線状に延びるＶ字状に形成することとしても所要の清掃効果を奏することができる。ただし、第１の突出体乃至第３の突出体をＵ字状とした方がＶ字状とするよりも容易に長さを長く設定することができ、Ｕ字状とする方がより好ましい。
【００９９】
ここで、本第３実施形態にあっては、第２、第３の突出体７０，７０´，８０，８０´の第２、第３の谷部２２，２２´，３２，３２´の高さ寸法に対する幅寸法（開口寸法）の比は、第１の山部１１，１１´および第１の谷部１２，１２´の高さ寸法に対する幅寸法（開口寸法）の比よりも大きく設定することとしており、第１の突出体１０，１０´，４０，４０´と第２の突出体７０，７０´および第３の突出体８０，８０´は非相似形であり異形となっている。
【０１００】
すなわち、本第３実施形態にあっては、第２、第３の谷部２２，２２´，３２，３２´の幅寸法（開口寸法）を相対的に大きく設定することとしており、これにより、第１の突出体１０，１０´，４０，４０´（第１の山部１１，１１´および第１の谷部１２，１２´）に対し小さい寸法に設定される第２、第３の突出体７０，７０´，８０，８０´（第２、第３の谷部２２，２２´，３２，３２´）において塵等により目詰まりすることを極力防止することとしている（なお、本第３実施形態においても、第２の突出体７０，７０´および第３の突出体８０，８０´は、第１の突出体１０，１０´，４０，４０´よりも小さい寸法に設定されていることは言うまでもない）。なお、本第３実施形態においても第２の突出体７０，７０´の第２の山部２１，２１´および第２の谷部２２，２２´、第３の突出体８０，８０´の第３の山部３１，３１´および第３の谷部３２，３２´は、頂部および傾斜部より詳しくは稜線部を有している。
【０１０１】
[第４実施形態]
次に本発明の第４実施形態について図１５乃至図２２に基づいて詳細に説明する。なお、これらの図において、上述した第１実施形態乃至第３実施形態と同一の符号が付された構成または同様の構成であって対応する構成については、その構成と同様であるとしてその説明を省略することがあるものとする。
【０１０２】
本発明の第４実施形態の清掃具４，４´（４ａ，４ａ´，４ｂ，４ｂ´，４ｃ，４ｃ´，４ｄ，４ｄ´）は、第１実施形態乃至第３実施形態の第２の突出体２０，２０´，５０，５０´，７０，７０´および第３の突出体３０,３０´，６０，６０´，８０，８０´の端部から清掃面７，７´の隅部に延びる第４の突出体９０，９０´（９０ａ，９０ａ´，９０ｂ，９０ｂ´，９０ｃ，９０ｃ´，９０ｄ，９０ｄ´）を設けた構成を示しており、第４の突出体９０，９０´は、清掃面７，７´の下方側に突出するとともに、清掃面７，７´に沿って水平方向に細長い線状に延びることとしている。これにより、清掃し難い床の角部等も清掃具４，４´を用いて容易に清掃することができ、その商品価値を高めることができる。
【０１０３】
[第５実施形態]
次に本発明の第５実施形態について図２３乃至図２６に基づいて詳細に説明する。なお、同図において、上述した第１実施形態乃至第４実施形態と同一の符号が付された構成または同様の構成であって対応する構成については、その構成と同様であるとしてその説明を省略することがあるものとする。
【０１０４】
本発明の第５実施形態の清掃具５は、第１の突出体１０が、清掃面７の位置で突出高さが異なる例を示している。すなわち、第１の突出体１０は、清掃方向の前方側より詳しくは前端側の突出高さが相対的に低くなることとしており、更に詳しくは、第１の突出体１０は、清掃面７の端部側が清掃面７の中間部側より詳しくは中央部側よりも突出高さを低くすることとしている（言い換えると、第１の突出体１０は、清掃面７の中間部側より詳しくは中央部側が清掃面７の端部側よりも突出高さを高くすることとしている）。
【０１０５】
つまり、第１の突出体１０は、第１の山部１１において湾曲する円弧状の頂部１１Ａと直線状の傾斜する傾斜部１１Ｂより詳しくは直線状の傾斜する稜線部１１Ｂを有するとともに、第１の谷部１２においても湾曲する円弧状の頂部１２Ａと直線状の傾斜する傾斜部１２Ｂより詳しくは直線状の傾斜する稜線部１２Ｂを有している。
【０１０６】
この第１の突出体１０においては、第１の山部１１Ａの終端１１ｂと第１の谷部１２の始端１２ａが連続して形成されるとともに、第１の谷部１２の終端１２ｂと第１の山部１１Ａの始端１１ａが連続して形成されることにより、第１の山部１１の稜線部１１Ｂの端部より詳しくは始端１１ａおよび終端１１ｂと第１の谷部１２の稜線部１２Ｂの端部より詳しく始端１１ａおよび終端１１ｂが連続して形成されている。
【０１０７】
そして、第１の山部１１の頂部１１Ａおよび第１の谷部１２の頂部１２Ａの突出高さを連続して形成された稜線部１１Ｂ，１２Ｂの突出高さよりも低くすることとしている（言い換えると、第１の山部１１および第１の谷部１２の連続して形成された稜線部１１Ｂ，１２Ｂの突出高さを頂部１１Ａ，１２Ａの突出高さをよりも高くすることとしている）。
【０１０８】
より詳しくは、連続して形成された稜線部１１Ａ，１１Ｂの中間部１１Ｃ（第１の山部１１の始端１１ａ、終端１１ｂ、第１の谷部１２の始端１２ａ、終端１２ｂ）から第１の山部１１の頂部１１Ａおよび第１の谷部１２の頂部１２Ａに行くにしたがって突出高さが漸次低くなり（言い換えると、第１の山部１１の頂部１１Ａおよび第１の谷部１２の頂部１２Ａから連続して形成された稜線部１１Ａ，１１Ｂの中間部１１Ｃに行くにしたがって突出高さが漸次高くなり）、連続して形成された稜線部１１Ａ，１１Ｂを側方から見たときに該稜線部１１Ａ，１１Ｂは上方に突出する山型に形成されている。すなわち、第１の突出体１０は、中央ライン７ａ上で突出高さが最大となる。頂部１１Ａ，１２Ａの突出高さの最小高さｈに対する、稜線部１１Ｂ，１２Ｂの突出高さの中央ライン７ａ上における最大高さＨの増加分ΔＨは、頂部１１Ａ，１２Ａの突出高さの最小高さｈよりも小さい高さに設定される。
【０１０９】
このように本第５実施形態の清掃具５を構成することで、床面に対する第１の山部１１の接地力を小さくすることが可能となり、塵を第１の山部１１から第１の谷部１２に効率よく導くことができる。
なお、第２の突出体２０および第３の突出体３０については図示していないが上記と同様に第２の突出体２０および第３の突出体３０の位置で突出高さが異なることとしてもよい。
【０１１０】
[第６実施形態]
次に本発明の第６実施形態について図２７および図２８に基づいて詳細に説明する。なお、同図において、上述した第１実施形態乃至第５実施形態と同一の符号が付された構成または同様の構成であって対応する構成については、その構成と同様であるとしてその説明を省略することがあるものとする。
【０１１１】
本発明の第６実施形態の清掃具６は、第１の突出体１０が、清掃面７の位置で突出高さが異なる例を示している。すなわち、第１の突出体１０は、清掃方向の前方側より詳しくは前端側の突出高さが相対的に低くなることとしており、更に詳しくは、第１の突出体１０は、清掃面７の端部側が清掃面７の中間部側より詳しくは中央部側よりも突出高さを低くすることとしている（言い換えると、第１の突出体１０は、清掃面７の中間部側より詳しくは中央部７側が清掃面７の端部側よりも突出高さを高くすることとしている）。
【０１１２】
つまり、第１の突出体１０は、第１の山部１１において湾曲する円弧状の頂部１１Ａと直線状の傾斜する傾斜部１１Ｂより詳しくは直線状の傾斜する稜線部１１Ｂを有するとともに、第１の谷部１２においても湾曲する円弧状の頂部１２Ａと直線状の傾斜する傾斜部１２Ｂより詳しくは直線状の傾斜する稜線部１２Ｂを有している。
【０１１３】
この第１の突出体１０においては、第１の山部１１の稜線部１１Ｂの端部より詳しくは始端１１ａおよび終端１１ｂと第１の谷部１２の稜線部１２Ｂの端部より詳しくは始端１２ａおよび終端１２ｂは、清掃方向に対し交差する方向に離間している。
【０１１４】
そして、第１の山部１１の頂部１１Ａおよび第１の谷部１２の頂部１２Ａの突出高さを第１の山部１１の稜線部１１Ｂおよび第１の谷部１２の稜線部１２Ｂの突出高さよりも低くすることとしている。（言い換えると、第１の山部１１の稜線部１１Ｂおよび第１の谷部１２の稜線部１２Ｂの突出高さを第１の山部１１の頂部１１Ａおよび第１の谷部１２の頂部１２Ａの突出高さよりも高くすることとしている）。
【０１１５】
より詳しくは、第１の山部１１の稜線部１１Ｂにおける第１の谷部１２の稜線部１２Ｂと離間する端部より詳しくは始端１１ａおよび終端１１ｂおよび第１の谷部１２の稜線部１２Ａにおける第１の山部１１の稜線部１１Ａと離間する端部より詳しくは始端１２ａおよび終端１２ｂから（稜線部１１Ａ，１１Ｂの中間部１１Ｃから）第１の山部１１の頂部１１Ａおよび第１の谷部１２の頂部１２Ａに行くにしたがって突出高さが漸次低くなることとしている（言い換えると、第１の山部１１の頂部１１Ａおよび第１の谷部の頂部１２Ａから第１の山部１１の稜線部１１Ｂにおける第１の谷部１２の稜線部１２Ｂと離間する端部より詳しくは始端１１ａおよび終端１１ｂおよび第１の谷部１２の稜線部１２Ａにおける第１の山部１１の稜線部１１Ａと離間する端部より詳しくは始端１２ａおよび終端１２ｂに行くにしたがって突出高さが漸次高くなることとしている）。すなわち、第１の突出体１０は、中央ライン７ａ上で突出高さが最大となる。頂部１１Ａ，１２Ａの突出高さの最小高さｈに対する、稜線部１１Ｂ，１２Ｂの突出高さの中央ライン７ａ上における最大高さＨの増加分ΔＨは、頂部１１Ａ，１２Ａの突出高さの最小高さｈよりも小さい高さに設定される。
【０１１６】
このように本第６実施形態の清掃具６を構成することで、床面に対する第１の山部１１の接地力を小さくすることが可能となり、塵を第１の山部１１から第１の谷部１２に効率よく導くことができる。
【０１１７】
なお、第２の突出体２０および第３の突出体３０については図示していないが上記と同様に第２の突出体２０および第３の突出体３０の位置で突出高さが異なることとしてもよい。
【０１１８】
ここで、以上説明した第１実施形態乃至第６実施形態のいずれにおいても、図２９に示すように、突出体１０，１０´，２０，２０´,３０，３０´，４０，４０´５０，５０´，６０，６０´,７０，７０´，８０，８０´，９０，９０´の断面形状は、半円形となっており、床面に対する清掃面７の角度を柔軟に設定することができる（床面に対し清掃面７を水平にしたり傾斜させる等、柔軟に対応することができる）。突出体１０，１０´，２０，２０´,３０，３０´，４０，４０´５０，５０´，６０，６０´,７０，７０´，８０，８０´，９０，９０´は、いずれも弾力性のある材料で形成されており、より詳しくは、ゴム材料や樹脂材料で形成されている。突出体１０，１０´，２０，２０´,３０，３０´，４０，４０´５０，５０´，６０，６０´,７０，７０´，８０，８０´，９０，９０´は、その高さを３ｍｍ乃至５ｍｍに設定されている。
【０１１９】
また、上述した第１実施形態乃至第６実施形態のいずれにおいても、図から明らかなように第１の突出体と第２の突出体は連結点Ａを介して、第１の突出体と第３の突出体は連結点Ｂを介してそれぞれ連結している。これにより清掃面７，７´において突出部を隙間なく設けることとしている。
【０１２０】
更に、上述した第１実施形態乃至第６実施形態のいずれにおいても第１の突出体１０，１０´，４０，４０´における複数の第１の山部１１，１１´の長さの総和は、一の長辺部８の長さよりも長く設定することとしている。同様に第１の突出体１０，１０´，４０，４０´における複数の第１の谷部１２，１２´の長さの総和は、一の長辺部８の長さよりも長く設定することとしている。
【０１２１】
なお、本発明は、上述した第１実施形態乃至第６実施形態に限定されることなく、特許請求の範囲に記載した発明の範囲内において種々の変形実施が可能であることは勿論である。
【０１２２】
すなわち、例えば、上述した第１実施形態乃至第６実施形態においては、第１の突出体１０，１０´，４０，４０´、第２の突出体２０，２０´５０，５０´，７０，７０´、および第３の突出体３０，３０´，６０，６０´，８０，８０´のいずれも有することとしているが、第１の突出体１０，１０´，４０，４０´のみとしても所要の効果を奏する。
【０１２３】
また、上述した第４実施形態においては、第４の突出体９０，９０´は、第２の突出体２０，２０´，５０，５０´，７０，７０´および第３の突出体３０，３０´６０，６０´，８０，８０´の端部から清掃面７の隅部に延びることとしているが、第１の突出体１０，１０´，４０，４０´のみとし、第１の突出体１０，１０´，４０，４０´の端部から清掃面７の隅部に延びることとしても所要の効果を奏する。
【０１２４】
更に、上述した第１実施形態乃至第６実施形態においては、清掃部５の下面側に清掃具用部材１００を装着して、清掃具用部材１００の清掃面７に突出体を設け清掃シート２００を装着することとしているが、清掃具用部材１００を介することなく清掃部５の下面側に突出体を設け清掃シート２００を清掃部５に直接装着することとしてもよい。
【産業上の利用可能性】
【０１２５】
本発明は、清掃シートの交換頻度を少なくすることができる清掃具を提供し、これにより清掃具の製造・販売を業とする者およびこれに関連する業界の発展に大きく貢献する。
【符号の説明】
【０１２６】
１，２，３，４，１ａ，２ａ：清掃具
５：清掃部
６：把手部
７，７´：清掃面
７ａ，７ｂ，７ｃ：中央ライン
７ｄ：装着面
８：長辺部
９：短辺部
１０：第１の突出体
１１：第１の山部
１１Ａ：頂部
１１Ｂ：稜線部（傾斜部）
１２：第１の谷部
１２Ａ：頂部
１２Ｂ：稜線部（傾斜部）
２０：第２の突出体
２１：第２の山部
２２：第２の谷部
３０：第３の突出体
３１：第３の山部
３２：第３の谷部
４０：第１の突出体
４１：第１の山部
４２：第１の谷部
５０：第２の突出体
５１：第２の山部
５２：第２の谷部
６０：第３の突出体
６１：第３の山部
６２：第３の谷部
７０：第２の突出体
７２：第２の谷部
８０：第３の突出体
８２：第３の谷部
９０：第４の突出体
１００：清掃具用部材
２００：清掃シート
【図１】
2020074931.tif 000003
【図２】
2020074931.tif 000004
【図３】
2020074931.tif 000005
【図４】
2020074931.tif 000006
【図５】
2020074931.tif 000007
【図６】
2020074931.tif 000008
【図７】
2020074931.tif 000009
【図８】
2020074931.tif 000010
【図９】
2020074931.tif 000011
【図１０】
2020074931.tif 000012
【図１１】
2020074931.tif 000013
【図１２】
2020074931.tif 000014
【図１３】
2020074931.tif 000015
【図１４】
2020074931.tif 000016
【図１５】
2020074931.tif 000017
【図１６】
2020074931.tif 000018
【図１７】
2020074931.tif 000019
【図１８】
2020074931.tif 000020
【図１９】
2020074931.tif 000021
【図２０】
2020074931.tif 000022
【図２１】
2020074931.tif 000023
【図２２】
2020074931.tif 000024
【図２３】
2020074931.tif 000025
【図２４】
2020074931.tif 000026
【図２５】
2020074931.tif 000027
【図２６】
2020074931.tif 000028
【図２７】
2020074931.tif 000029
【図２８】
2020074931.tif 000030
【図２９】
2020074931.tif 000031